Podtech/llm-jp-corpus-v4-ja_patent huggingface dataset:
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
クライオスタット内に配置される導電性コイルであって、前記導電性コイルに電流が流される場合に磁場を形成するように構成される導電性コイルと、
前記クライオスタット内に配置される電気相互接続デバイスと、
を有する装置であって、前記電気相互接続デバイスは、
下位端部に配置されるガス吸気口と上位端部に配置されるガス排気口とを有するタンクと、
選択的に引き込み可能及び引き延ばし可能に構成される第1導電性リードであって、引き込み位置では、前記第1導電性リードは実質的に完全に前記タンクの外側に配置され、引き延ばし位置では、前記第1導電性リードは前記タンク内に少なくとも部分的に延びる、第1導電性リードと、
前記タンク内に少なくとも部分的に配置され、前記導電性コイルに接続される第2導電性リードと、
前記タンク内に配置される電気コンタクトであって、前記第1導電性リードが前記引き延ばし位置にある場合に、前記第1及び第2導電性リードをともに接続するように構成される電気コンタクトと、
前記タンク内で前記電気コンタクトに隣接して配置され、下位端部に配置されるガス吸気口と上位端部に配置されるガス排気口とを有する熱交換器であって、当該ガス吸気口において前記第2導電性リードからガスを受け取り、当該ガス排気口において前記ガスを出力するように構成される熱交換器と、
を有する装置。
【請求項２】
前記第1導電性リードは、前記引き延ばし位置にある場合に、前記タンクのガス排気口を介して延びる、請求項1に記載の装置。
【請求項３】
前記クライオスタットは外部真空コンテナを有し、前記タンクの上位端部は前記外部真空コンテナに隣接する、請求項2に記載の装置。
【請求項４】
前記タンクの外側において、前記外部真空コンテナに配置されるヒートシンクを更に有する請求項3に記載の装置。
【請求項５】
前記電気相互接続デバイスが、
選択的に引き込み可能及び引き延ばし可能に構成される第3導電性リードであって、引き込み位置では、実質的に完全に前記タンクの外側に配置され、引き延ばし位置では、前記タンク内に少なくとも部分的に延びる、第3導電性リードと、
前記タンク内に少なくとも部分的に配置され、前記導電性コイルに接続される第4導電性リードと、
前記タンク内に配置される第2電気コンタクトであって、前記第3導電性リードが前記引き延ばし位置にある場合に、前記第3及び第4導電性リードをともに接続するように構成される第2電気コンタクトと、
を更に有する請求項1に記載の装置。
【請求項６】
前記熱交換器が、前記第2電気コンタクトに隣接して配置され、下位端部に配置される第2ガス吸気口を有し、前記熱交換器は、前記第2ガス吸気口において前記第4導電性リードからガスを受け取るように構成される、請求項5に記載の装置。
【請求項７】
前記タンク内で前記第2電気コンタクトに隣接して配置され、下位端部に配置されるガス吸気口と上位端部に配置されるガス排気口とを有する第2熱交換器であって、当該ガス吸気口において前記第4導電性リードからガスを受け取り、当該ガス排気口において前記ガスを出力するように構成される第2熱交換器を更に有する請求項5に記載の装置。
【請求項８】
前記第1導電性リードは、前記ガスが中を通るように構成されるチャネルを含む、請求項1に記載の装置。
【請求項９】
前記第2導電性リードは、前記ガスが中を通るように構成されるチャネルを含む、請求項1に記載の装置。
【請求項１０】
前記ガスの流れを制御するように構成される手動で制御されるバルブを更に有する請求項1に記載の装置。
【請求項１１】
1つ以上の温度センサからの1つ以上の信号を利用するフィードバックループにより、前記ガスの流れを自動的に調整するように構成されるプロセッサ制御バルブを更に有する請求項1に記載の装置。
【請求項１２】
第1導電性リードをクライオスタット内に配置されるタンク内に延ばし、第2導電性リードとの電気接続を形成するステップであって、前記第2導電性リードは、前記タンク内に少なくとも部分的に配置され、前記クライオスタット内に配置される導電性コイルに接続され、前記導電性コイルは、前記導電性コイルに電流が流される場合に磁場を形成するように構成される、ステップと、
前記タンクの下位部分に配置される前記タンクのガス吸気口に、冷却ガスを提供するステップと、
前記タンク内に配置される熱交換器を介して前記冷却ガスを通過させ、前記第1及び第2導電性リードの間の電気接続部からの熱を前記冷却ガスに伝え、前記冷却ガスを温まったガスに変換するステップと、
前記タンクの上位部分に配置される前記タンクのガス排気口から、前記温まったガスを排出するステップと、
を有する方法。
【請求項１３】
前記磁場が選択された磁場強度を有する場合に、前記電気接続を切断するステップを更に有する請求項12に記載の方法。
【請求項１４】
前記第1導電性リードを前記タンクから引き抜くステップを更に有する請求項13に記載の方法。
【請求項１５】
前記導電性コイルは10°K未満の温度を有し、前記第1導電性リードは少なくとも20°Kの温度を有する、請求項12に記載の方法。
【請求項１６】
前記導電性コイルは5°K未満の温度を有し、前記第1導電性リードは少なくとも40°Kの温度を有する、請求項12に記載の方法。
【請求項１７】
前記タンクの上位部分に配置される前記タンクのガス排気口から、前記温まったガスを排出するステップが、前記第1導電性リードに設けられる開口を介して、前記温まったガスを排出するステップをさらに有し、前記温まったガスは前記第1導電性リードを介して流れる、請求項12に記載の方法。
【請求項１８】
クライオスタット内に配置されかつ導電性コイルに電力を供給するように構成される電気コンタクトから熱を散逸させる装置であって、
前記クライオスタット内に配置されかつ導電性コイルに電力を供給するように構成される前記電気コンタクトに、冷却ガスを供給するように構成される冷却ガス導管と、
前記クライオスタット内に配置され、前記電気コンタクトからの熱を前記冷却ガスに伝え、前記冷却ガスの温度を上昇させるように構成される熱交換器と、
下位端部に配置されるガス吸気口と上位端部に配置されるガス排気口とを有するタンクと、
を有し、前記電気コンタクト及び前記熱交換器は前記タンク内に配置される、装置。
【請求項１９】
前記熱交換器が、前記タンク内で前記電気コンタクトに隣接して配置され、下位端部に配置されるガス吸気口と上位端部に配置されるガス排気口とを有し、前記熱交換器は、当該ガス吸気口において第2導電性リードから前記冷却ガスを受け取り、当該ガス排気口において前記冷却ガスを出力するように構成される、請求項18に記載の装置。
【請求項２０】
選択的に引き込み可能及び引き延ばし可能に構成される第1導電性リードであって、引き込み位置では、実質的に完全に前記タンクの外側に配置され、引き延ばし位置では、前記タンク内に少なくとも部分的に延びる、第1導電性リードを有する請求項18に記載の装置。
【手続補正２】
【補正対象書類名】明細書
【補正対象項目名】発明の名称
【補正方法】変更
【補正の内容】
【発明の名称】超電導マグネットシステムにおける装置及び方法
【手続補正書】
【提出日】平成28年7月14日(2016.7.14)
【手続補正１】
【補正対象書類名】特許請求の範囲
【補正対象項目名】請求項１
【補正方法】変更
【補正の内容】
【請求項１】
少なくとも１つの第１発熱抵抗体（１２；１２ａ、１３ａ、１４ａ）と、少なくとも１つの第１太陽光発電プラント（１６；１６ａ、１７ａ、１８ａ）によって提供される電流を少なくとも前記第１発熱抵抗体（１２；１２ａ、１３ａ、１４ａ）に供給するために設けられた少なくとも１つの供給電子機器ユニット（２０；２０ａ）とを備えた加熱装置であって、
前記供給電子機器ユニット（２０；２０ａ）は、少なくとも前記第１発熱抵抗体（１２；１２ａ、１３ａ、１４ａ）を少なくとも１つの動作モードでクロック同期して作動させるために設けられている、加熱装置。
【手続補正書】
【提出日】平成28年10月25日(2016.10.25)
【手続補正１】
【補正対象書類名】特許請求の範囲
【補正対象項目名】全文
【補正方法】変更
【補正の内容】
【特許請求の範囲】
【請求項１】
１つ以上のセルの第１のセットのための第１のセル無線ネットワーク一時識別子（Ｃ−ＲＮＴＩ）を有する端末装置（ＵＥ）による、二重接続性のための方法であって、前記方法は
１つ以上のセルの第２のセットを追加するための制御情報を含む無線リソース制御（ＲＲＣ）接続再構成メッセージを受信するステップを含み、
前記制御情報は、前記１つ以上のセルの前記第２のセットのための第２のＣ−ＲＮＴＩを含み、
前記第１のＣ−ＲＮＴＩは、第１の媒体アクセス制御（ＭＡＣ）エンティティにおいて使用され、前記第２のＣ−ＲＮＴＩは、第２のＭＡＣエンティティにおいて使用される、方法。
【請求項２】
Ｃ−ＲＮＴＩをアップデートするステップを含む、請求項１に記載の方法。
【請求項３】
基地局装置（ｅＮＢ）による、二重接続性のための方法であって、前記方法は、
１つ以上のセルの第１のセットのための第１のセル無線ネットワーク一時識別子（Ｃ−ＲＮＴＩ）を有する端末装置（ＵＥ）に対し、１つ以上のセルの第２のセットを追加するための制御情報を含む無線リソース制御（ＲＲＣ）接続再構成メッセージを送信するステップを含み、
前記制御情報は、前記１つ以上のセルの前記第２のセットのための第２のＣ−ＲＮＴＩを含み、
前記第１のＣ−ＲＮＴＩは、第１の媒体アクセス制御（ＭＡＣ）エンティティにおいて使用され、前記第２のＣ−ＲＮＴＩは、第２のＭＡＣエンティティにおいて使用される、方法。
【請求項４】
少なくとも１つのＵＥに対応する少なくとも１つのＣ−ＲＮＴＩを記憶するステップと、
前記少なくとも１つのＣ−ＲＮＴＩを管理するステップと
をさらに含む、請求項３に記載の方法。
【請求項５】
１つ以上のセルの第１のセットのための第１のセル無線ネットワーク一時識別子（Ｃ−ＲＮＴＩ）を有する、二重接続性を利用する端末装置（ＵＥ）であって、
プロセッサと、
前記プロセッサと電子通信を行うメモリとを備え、前記メモリに記憶された命令は、
１つ以上のセルの第２のセットを追加するための制御情報を含む無線リソース制御（ＲＲＣ）接続再構成メッセージを受信するために実行可能であり、
前記制御情報は、前記１つ以上のセルの前記第２のセットのための第２のＣ−ＲＮＴＩを含み、
前記第１のＣ−ＲＮＴＩは、第１の媒体アクセス制御（ＭＡＣ）エンティティにおいて使用され、前記第２のＣ−ＲＮＴＩは、第２のＭＡＣエンティティにおいて使用される
ＵＥ。
【請求項６】
前記命令は、Ｃ−ＲＮＴＩをアップデートするために実行可能である、請求項５に記載のＵＥ。
【請求項７】
二重接続性を利用する端末装置（ＵＥ）との間で通信する基地局装置（ｅＮＢ）であって、
プロセッサと、
前記プロセッサと電子通信を行うメモリとを備え、前記メモリに記憶された命令は、
１つ以上のセルの第１のセットのための第１のセル無線ネットワーク一時識別子（Ｃ−ＲＮＴＩ）を有する前記端末装置（ＵＥ）に対し、１つ以上のセルの第２のセットを追加するための制御情報を含む無線リソース制御（ＲＲＣ）接続再構成メッセージを送信するために実行可能であり、
前記制御情報は、前記１つ以上のセルの前記第２のセットのための第２のＣ−ＲＮＴＩを含み、
前記第１のＣ−ＲＮＴＩは、第１の媒体アクセス制御（ＭＡＣ）エンティティにおいて使用され、前記第２のＣ−ＲＮＴＩは、第２のＭＡＣエンティティにおいて使用される
ｅＮＢ。
【請求項８】
前記命令は、
少なくとも１つのＵＥに対応する少なくとも１つのＣ−ＲＮＴＩを記憶して、
前記少なくとも１つのＣ−ＲＮＴＩを管理する
ために実行可能である、請求項７に記載のｅＮＢ。
【手続補正書】
【提出日】平成28年10月18日(2016.10.18)
【手続補正１】
【補正対象書類名】明細書
【補正対象項目名】００４８
【補正方法】変更
【補正の内容】
【００４８】
プライマーを次のように設計した：ＫＩＴフォワードプライマー、５’−ＧＡＡＡＧＴＧＡＣＧＴＣＴＧＧＴＣＣＴＡＴＧＧ−３’（配列番号１）；リバースプライマー、５’−ＧＴＧＣＴＣＴＣＴＧＡＡＡＴＣＴＧＣＴＴＣＴＣＡ−３’（配列番号２）；ドーパクローム異性化酵素（ＤＣＴ）フォワードプライマー、５’−ＴＣＣＴＴＣＣＴＧＡＡＣＧＧＧＡＣＡＡＡ−３’（配列番号３）；リバースプライマー、５’−ＴＧＧＣＡＴＡＧＣＴＧＴＡＧＣＣＡＡＧＴＴＧ−３’（配列番号４）。ＭＩＴＦフォワードプライマー、５’−ＣＧＧＧＡＡＣＡＧＧＡＣＣＡＴＧＧＴＴＡ−３’（配列番号５）；リバースプライマー、５’−ＡＧＣＴＡＧＣＣＣＣＴＧＡＡＡＴＧＡＡＴＣＣ−３’（配列番号６）；ｇｐ１００フォワードプライマー、５’−ＣＣＡＧＴＧＴＡＴＣＣＣＣＡＧＧＡＡＡＣＴＧ−３’（配列番号７）；リバースプライマー、５’−ＧＡＡＴＧＡＧＣＡＡＧＡＧＧＣＡＣＡＴＡＧＣＴ−３’（配列番号８）；ＴＲＰ−１、フォワードプライマー、５’−ＴＧＣＡＣＡＣＣＴＴＣＡＣＡＧＡＴＧＣＡ−３’（配列番号９）；リバースプライマー、５’−ＡＡＧＣＧＣＣＡＡＣＴＡＣＴＧＣＴＡＴＧＧ−３’（配列番号１０）；チロシナーゼフォワードプライマー、５’−ＧＡＧＧＴＣＡＧＣＡＣＣＣＣＡＣＡＡＡＴ−３’（配列番号１１）；リバースプライマー、５’−ＧＣＡＧＣＴＴＴＡＴＣＣＡＴＧＧＡＡＣＣＡ−３’（配列番号１２）。
【手続補正書】
【提出日】平成28年7月7日(2016.7.7)
【手続補正１】
【補正対象書類名】明細書
【補正対象項目名】００５１
【補正方法】変更
【補正の内容】
【００５１】
図２に例示する様に、例えば、２つの部分から成る吊り紐には２つのラップが必要となり、４つの部分から成る吊り紐には３つのラップが必要となり、６つの部分から成る吊り紐には４つのラップが必要となり、８つの部分から成る吊り紐には５つのラップが必要となり、１０個の部分から成る吊り紐には６つのラップが必要となる等という様に、適切な長さのロープ１２は、適切な直径（一般的にはロープの直径の４〜１２倍）を有する２つの対向するピン１４，１８の周りに、複数のラップ１６で巻き付けられる。図２に例示されている１つの実施形態では、８つの部分から成る吊り紐１０の製造段階が示されている：製造工程のフローチャートが、図７に例示されている。５つのラップ１６が、ピン１４，１８の周りに巻かれている。当業者であれば、ラップ１６の数が、吊り紐に対して望まれる部分の数に基づくことを理解できるであろう。
【手続補正２】
【補正対象書類名】図面
【補正対象項目名】図７
【補正方法】変更
【補正の内容】
【図７】
2016516140.tif 000001
【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
第１、第２及び第３のシリンダ（１５、１６、１７）、及び、クランクドライブ（１）を有するレシプロエンジン（１８）であって、前記クランクドライブ（１）がクランクケース内で回転可能に支持され、第１及び第２のクランクピン（３、４）を有するクランクシャフト（２）を有している、レシプロエンジン（１８）にして、
前記第１のクランクピン（３）には、第１及び第２のピストン（７、８）のための第１及び第２のコネクティングロッド（５、６）が割り当てられており、また、前記第２のクランクピン（４）には第３のピストン（１０）のための第３のコネクティングロッド（９）が割り当てられており、前記第１及び前記第２のシリンダ（１５、１６）が前記第１及び前記第２のピストン（７、８）とともに、Ｖ形状に配設されている、
レシプロエンジン（１８）において、
前記第３のシリンダ（１７）が、前記第３のピストン（１０）とともに、Ｖ内、すなわち前記クランクシャフト（２）の軸線（２´）方向からみて前記第１及び前記第２のシリンダ（１５、１６）の間、に配設されていること、
を特徴とするレシプロエンジン。
【請求項２】
請求項１に記載のレシプロエンジンにおいて、
前記第３のシリンダ（１７）が、前記第３のピストン（１０）とともに、Ｖ内中央に配設されていること、
を特徴とするレシプロエンジン。
【請求項３】
請求項１又は２に記載のレシプロエンジンにおいて、
前記第１、前記第２、及び、前記第３のシリンダ（１５、１６、１７）が、クランクシャフトの軸線方向で互いにずらされて、配設されていること、
を特徴とするレシプロエンジン。
【請求項４】
請求項１又は２に記載のレシプロエンジンにおいて、
前記第１及び前記第２のシリンダ（１５、１６）が、１つの平面内で、クランクシャフトの軸線方向に対して垂直に、配設されており、また、前記第３のシリンダ（１７）が、クランクシャフトの軸方向で前記平面に対してずらされて、配設されていること、
を特徴とするレシプロエンジン。
【請求項５】
請求項１から４のいずれか一項に記載のレシプロエンジンにおいて、
第１のシリンダ軸（１５´）及び第２のシリンダ軸（１６´）が、４５°から９０°の間のＶ角度αをなすこと、
を特徴とするレシプロエンジン。
【請求項６】
請求項１から５のいずれか一項に記載のレシプロエンジンにおいて、
前記クランクピン（３、４）が、好ましくは９０°又は１８０°又は２７０°のクランク角度の、オフセット角度βを有すること
を特徴とするレシプロエンジン。
【請求項７】
請求項１から６のいずれか一項に記載のレシプロエンジンにおいて、
前記クランクシャフト（２）によって駆動可能であり、前記クランクシャフト（２）に対して平行に指向された、１次のマスバランスシャフト（１１）が設けられていること、
を特徴とするレシプロエンジン。
【請求項８】
請求項１から７のいずれか一項に記載のレシプロエンジンにおいて、
前記レシプロエンジン（１８）が、二輪車のために設けられていること、
を特徴とするレシプロエンジン。
【請求項９】
請求項８に記載のレシプロエンジンにおいて、
前記レシプロエンジン（１８）の前記クランクシャフト（２）が、前記二輪車の走行方向に対して左右方向に搭載されていること、
を特徴とするレシプロエンジン。
【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
患者の神経組織に刺激を印加するために、前記神経組織と接続した治療装置と、
前記刺激を生成し、フィードバック刺激に基づいて前記刺激の強度に関連するパラメーターを変調させて、前記刺激の印加の際に生じる場を変動させ、前記刺激により興奮する、前記神経組織の線維の集団を変える刺激装置と、を備えるシステム。
【請求項２】
前記刺激は、複数のパルスのパターンと複数のパターンとのうち少なくとも１つを含み、
前記複数のパルスのパターン内の各パルスと前記複数のパターンの各パターンとのうち少なくとも一つに対して、前記強度に関連する前記パラメーターが変動する、請求項１に記載のシステム。
【請求項３】
前記フィードバック刺激は、センサーにより記録された前記神経組織からの入力、使用者による入力、および時間、のうち少なくとも一つを含む、請求項１に記載のシステム。
【請求項４】
前記治療装置は、複数の興奮チャンネルを含む電極を含む、請求項１に記載のシステム。
【請求項５】
前記強度に関連する前記パラメーターは、前記複数の興奮チャンネル各々の、興奮のタイミングと興奮の間隔のうち少なくとも一つに関連し、前記刺激の印加の際生じる前記場を変動させる、請求項４に記載のシステム。
【手続補正書】
【提出日】平成28年4月21日(2016.4.21)
【手続補正１】
【補正対象書類名】特許請求の範囲
【補正対象項目名】全文
【補正方法】変更
【補正の内容】
【特許請求の範囲】
【請求項１】
シードプライミング方法であって、
プライミングされるべき乾燥した種子を提供する工程と、
前記種子を水溶液に浸漬する浸漬工程と、
前記種子が一度水で飽和されると、前記水溶液から前記種子を除去する工程と、
前記種子の水分の量を低減する工程と、
前記種子を、相対湿度が９５％以上１００％未満の空気の雰囲気下でインキュベートする工程と、を含む方法。
【請求項２】
前記種子は、内胚乳種、裸子植物種、外胚乳種又は果皮を有する種子からの種子である請求項１に記載の方法。
【請求項３】
浸漬時間は、前記種子が発芽の第二段階に入るのに必要な時間と等しい請求項１又は２に記載の方法。
【請求項４】
前記浸漬工程の間、前記水溶液は通気される請求項１〜３のいずれか一項に記載の方法。
【請求項５】
前記水分の量は、水で飽和された前記種子の前記水分の量を低減する工程で、１〜１０重量％低減される請求項１〜４のいずれか一項に記載の方法。
【請求項６】
前記種子は、一度水で飽和されると、種子が発芽するまでに必要な時間と等しいか又はそれより長い期間、インキュベートされる請求項１〜５のいずれか一項に記載の方法。
【請求項７】
前記インキュベートする工程の間、前記種子は、回転される請求項１〜６のいずれか一項に記載の方法。
【請求項８】
前記インキュベートする工程の間、前記雰囲気は、連続的に又は断続的に入れ替えられる請求項１〜７のいずれか一項に記載の方法。
【請求項９】
前記種子の前記インキュベートする工程の後で、前記種子の前記水分の量を低減する前記工程をさらに含む請求項１〜８のいずれか一項に記載の方法。
【請求項１０】
請求項１〜９のいずれか一項に記載の方法により得られるプライミングされた種子。
【請求項１１】
請求項１０に記載のプライミングされた種子を育成することで得られる植物。
【請求項１２】
請求項１〜９のいずれか一項に記載の方法に沿って、酸素含有量が２１％で、相対湿度が９５％以上１００％未満の空気の雰囲気下で種子をインキュベートする装置であって、
該装置は、水平に又は傾斜して、蓋（４）を有する回転可能な回転樽（１）を含み、
前記蓋（４）には、前記蓋（４）及び前記樽（１）を通って新鮮な空気の流れを水に供給するための手段（６，７）と、前記空気／水の流れから水滴を除去するための手段（８）と、が下流順に設けられ、
前記樽（１）には、気体出口（３）が設けられ、前記樽の回転軸は、水平面から３０度未満逸れる、装置。
【請求項１３】
前記蓋（４）には、新鮮な空気の入り口（５）と、水で飽和されたスポンジフィルタ（７）と、前記空気／水の流れから水滴を除去するための半透過性膜（８）と、が設けられる請求項１２に記載の装置。
【請求項１４】
前記樽（１）は、モーター（１２）で駆動される駆動ロッド（１１）の手段により回転される、請求項１２に記載の装置。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
ラリンジアルマスクであって、
全長に沿った縦方向の開口部を有する、実質的に「Ｊ」字形である、不撓性チューブ（１０）と、
前記不撓性チューブ（１０）の前記縦方向の開口部内に収容されることが意図されており、及び、前記不撓性チューブ（１０）から分離可能である、同様に実質的に「Ｊ」字形である可撓性チューブ（２０）であって、膨張式ラリンジアルリング又はゲルラリンジアルリング（２１）を有するその遠位端部において終端する可撓性チューブ（２０）と、
を備える、
ことを特徴とするラリンジアルマスク。
【請求項２】
前記不撓性チューブ（１０）は、不撓性舌状タブ（１１）を有する遠位端部において終端し、かつ、
前記可撓性チューブ（２０）は、前記不撓性チューブ（１０）と前記可撓性チューブ（２０）とが結合される時にその可撓性スリーブ（２３）内に、前記不撓性チューブ（１０）の前記不撓性舌状タブ（１１）を収容するようにされている可撓性スリーブ（２３）を有する遠位端部において終端する、
ことを特徴とする請求項１に記載のラリンジアルマスク。
【請求項３】
前記可撓性スリーブ（２３）は、その可撓性層の輪郭全体に沿って互いに接合されている２つの可撓性層によって構成されている、
ことを特徴とする請求項２に記載のラリンジアルマスク。
【請求項４】
前記可撓性スリーブ（２３）は、その遠位端部において、２つの延長部分（２４）によって前記ラリンジアルリング（２１）の内面に接合されている、
ことを特徴とする請求項２又は３に記載のラリンジアルマスク。
【請求項５】
前記可撓性チューブ（２０）は、さらに、気管内チューブ（４０）を内側に収容することが意図されている第１の案内管路（２５）も有する、
ことを特徴とする請求項１から４のいずれか１項に記載のラリンジアルマスク。
【請求項６】
気管内チューブ（４０）を内側に収容することが意図されている前記第１の案内管路（２５）は、縦方向に開いている１つの区域（２５ａ）と、開いていない別の区域（２５ｂ）とに分割されている、
ことを特徴とする請求項５に記載のラリンジアルマスク。
【請求項７】
前記案内管路（２５）は、前記開いている区域の壁（２５ａ）の中において、突起（２５ｃ）を備えており、かつ、
前記壁（２５ａ）が横方向に移動させられることを防止するために、且つ、前記管路（２５）の内側を通って延びる前記気管内チューブ（４０）が所定の位置に保持されることを可能にするために、前記突起（２５ｃ）は前記不撓性チューブ（１０）内の溝の中に嵌合可能である、
ことを特徴とする請求項６に記載のラリンジアルマスク。
【請求項８】
前記第１の案内管路（２５）の寸法が、８．５ｍｍの内径を有する気管内チューブ（４０）が前記第１の案内管路（２５）の内側の中に収容されることを可能にする、
ことを特徴とする請求項５から７に記載のラリンジアルマスク。
【請求項９】
前記可撓性チューブ（２０）は、視認手段（３０）の可撓性チューブ（３２）を収容するために取り付けられている第２の案内管路（２６）を備える、
ことを特徴とする請求項１から８のいずれか１項に記載のラリンジアルマスク。
【請求項１０】
前記第２の案内管路（２６）は、その遠位端部に光学レンズ（３６）を備えており、かつ、前記光学レンズ（３６）は前記案内管路（２６）に一体化され一緒に動く、
ことを特徴とする請求項９に記載のラリンジアルマスク。
【請求項１１】
前記第２の案内管路（２６）は、その近位端部においてコンパートメント（５０）を備えており、かつ、
前記コンパートメント（５０）は、電気を必要とする前記ラリンジアルマスクの構成要素に対して電気を供給するための幾つかの電池（５１）を収容する、
ことを特徴とする請求項９又は１０に記載のラリンジアルマスク。
【請求項１２】
前記可撓性チューブ（２０）は、さらに、前記光学レンズ（３６）の遠位表面からの分泌物の吸引のために取り付けられている第３の案内管路（２７）も有する、
ことを特徴とする請求項１から１１のいずれか１項に記載のラリンジアルマスク。
【請求項１３】
前記可撓性チューブ（２０）は、さらに、食道吸引プローブを収容するべく取り付けられている第４の案内管路（２８）も有する、
ことを特徴とする請求項１から１２のいずれか１項に記載のラリンジアルマスク。
【請求項１４】
前記第４の案内管路（２８）は、食道括約筋を閉鎖するようにされた隆起又は栓（２２）の形で、遠位において終端する、
ことを特徴とする請求項１３に記載のラリンジアルマスク。
【請求項１５】
前記隆起又は栓（２２）は、食道吸引プローブがその中を通過することが可能なオリフィスを備えている、
ことを特徴とする請求項１４に記載のラリンジアルマスク。
【請求項１６】
前記ラリンジアルリング（２１）の前記内面は、さらに、前記リング（２１）の中心軸線に向かって前記気管内チューブを誘導するようにされた、少なくとも１つの突出部（２９）を備えている、
ことを特徴とする請求項１から１５のいずれか１項に記載のラリンジアルマスク。
【請求項１７】
さらに、喉頭の内部から画像を捕捉し、かつ、前記画像をその外側面上に表示するために視認手段（３０）を含む、
ことを特徴とする請求項１から１６のいずれか１項に記載のラリンジアルマスク。
【請求項１８】
前記視認手段（３０）は、前記第２の案内管路（２６）の内側に収容されるようにされており、かつ、画像の伝送のための手段を含んでいる可撓性チューブ（３２）を具備し、
前記可撓性チューブ（３２）は、遠位端部の光学集束レンズ（３５）と、ビデオカメラ（３７）と、照明手段（３８ｂ）とを備え、かつ、前記ビデオカメラ（３７）によって捕捉された画像を表示するためのモニター（３１）をその近位端部に備えている、
ことを特徴とする請求項１７に記載のラリンジアルマスク。
【請求項１９】
前記画像を伝送するために前記可撓性チューブ（３２）内に収容されている手段が、銅線又は光ファイバである、
ことを特徴とする請求項１８に記載のラリンジアルマスク。
【請求項２０】
前記モニター（３１）は自立して前記マスクから独立しており、かつ、
前記視認手段（３０）は、前記ビデオカメラ（３７）によって捕捉された画像を前記モニター（３１）にワイヤレス方式で送るための手段を備える、
ことを特徴とする請求項１７から１９のいずれか１項に記載のラリンジアルマスク。
【請求項２１】
前記視認手段（３０）は、さらに、前記可撓性チューブ（３２）の前記遠位端部に配置されている前記光学レンズ（３５）を加熱するため、および、前記第２の案内管路（２６）の前記遠位端部に配置されている前記光学レンズ（３６）を加熱するため、の加熱／照明システム（３８ｂ）を備える結露防止システムを含む、
ことを特徴とする請求項１７から２０のいずれか１項に記載のラリンジアルマスク。
【請求項２２】
前記不撓性チューブ（１０）は、その全長の少なくとも一部分に沿って延びるレールを備えており、かつ、
前記可撓性チューブ（２０）は、さらに、前記不撓性チューブ（１０）と前記可撓性チューブ（２０）の結合と分離とを容易にするための、前記可撓性チューブ（２０）の長さの少なくとも一部分に沿って延びる、溝も備えている、
ことを特徴とする請求項１から２１のいずれか１項に記載のマスク。
【誤訳訂正書】
【提出日】平成28年7月21日(2016.7.21)
【誤訳訂正１】
【訂正対象書類名】特許請求の範囲
【訂正対象項目名】全文
【訂正方法】変更
【訂正の内容】
【特許請求の範囲】
【請求項１】
複数の鋸歯状エッジからなる第１ブレード部と、
複数の鋸歯状エッジからなる第２ブレード部と、
前記第１ブレード部と前記第２ブレード部とを連結する結合部と、からなり、前記第１ブレード部と前記第２ブレード部は前記結合部から延びていく共通軸に沿って配列され、前記第１ブレード部と前記第２ブレード部は尖点で終結するテーパーを有し、
前記第１ブレード部および前記第２ブレード部の少なくとも一方が複数の鋸歯状エッジを含む上部エッジおよび下部エッジを有する、ハンマートゥインプラント。
【請求項２】
前記第１ブレード部と前記第２ブレード部の少なくとも一方は、前記尖点までその幅と厚さに沿って次第に細くなる、請求項１に記載のハンマートゥインプラント。
【請求項３】
前記第２ブレード部は、前記第１ブレード部と実質的に同一の大きさと形状である、請求項２に記載のハンマートゥインプラント。
【請求項４】
前記結合部は、半柔軟性材料で形成される、請求項３に記載のハンマートゥインプラント。
【請求項５】
前記結合部は、逆「Ｖ」字状に形成される、請求項４に記載のハンマートゥインプラント。
【請求項６】
前記結合部は、逆「Ｗ」字状に形成される、請求項４に記載のハンマートゥインプラント。
【請求項７】
前記結合部は、２つの切除された足趾骨の間に配置されるように構成される上部スペーサー部からなる、請求項４に記載のハンマートゥインプラント。
【請求項８】
前記結合部は、シリコーン系材料で形成される、請求項４に記載のハンマートゥインプラント。
【請求項９】
第１ブレード部と、
第２ブレード部と、
前記第１ブレード部と前記第２ブレード部とを連結する結合部と、からなり、
前記第１ブレード部は、前記第２ブレード部によって規定される軸に対して５度から１５度の間の角度で前記結合部から延び、前記第１ブレード部と前記第２ブレード部は尖点で終結するテーパーを有する、インプラント。
【請求項１０】
前記第１ブレード部と前記第２ブレード部の少なくとも一方は、複数の鋸歯状エッジを含む、請求項９に記載のインプラント。
【請求項１１】
前記結合部は、２つの切除された足趾骨の間に配置されるように構成される上部スペーサー部からなる、請求項１０に記載のインプラント。
【請求項１２】
前記結合部は、半柔軟性材料で形成され、逆「Ｖ」字状に形成される、請求項９に記載のインプラント。
【請求項１３】
前記結合部は、半柔軟性材料で形成され、逆「Ｗ」字状に形成される、請求項９に記載のインプラント。
【請求項１４】
前記結合部は、シリコーン系材料で形成される、請求項１２に記載のインプラント。
【請求項１５】
前記結合部は、シリコーン系材料で形成される、請求項１３に記載のインプラント。
【誤訳訂正２】
【訂正対象書類名】明細書
【訂正対象項目名】００２１
【訂正方法】変更
【訂正の内容】
【００２１】
第１ブレード部２０１と第２ブレード部２０３は、第１ブレード部１０１と第２ブレード部１０３より幅が狭いが、これはインプラント２００の一部の適用例において好ましいことであり得る。一部の実施例において、図２Ｂに示すように、第１ブレード部２０１は、第２ブレード部２０３によって規定される縦軸Ａに対してθで示された角度に配置できる。この角度θは０度から４５度の間であり、より具体的には、約５度から１５度の間であり得る。
【誤訳訂正書】
【提出日】平成28年3月22日(2016.3.22)
【誤訳訂正１】
【訂正対象書類名】特許請求の範囲
【訂正対象項目名】全文
【訂正方法】変更
【訂正の内容】
【特許請求の範囲】
【請求項１】
一体化されているエアーバッグの蓋の適正な開放を確保するダッシュボードの美観ライニングを遮蔽する装置であって、エアーバッグを備えている前記蓋を開放するための溝に同面の縁を備え、前記縁は、前記ダッシュボードのライニングの外側表面に配置され、且つ前記ライニングに入り込む少なくとも１つの歯を備えており、それによりエアーバッグの対称的な開放を確保するようになされていることを特徴とするダッシュボードの美観ライニングを遮蔽する装置。
【請求項２】
前記蓋と前記ライニングとの間にスポンジ状の材料からなる層が設けられており、前記縁が前記スポンジ状の層を破るために前記溝と同面である、ことを特徴とする請求項１に記載のダッシュボードの美観ライニングを遮蔽する装置。
【請求項３】
前記縁に内ねじが結合されている、ことを特徴とする請求項１、又は２に記載のダッシュボードの美観ライニングを遮蔽する装置。
【誤訳訂正２】
【訂正対象書類名】明細書
【訂正対象項目名】００１３
【訂正方法】変更
【訂正の内容】
【００１３】
従って、本発明の特定の目的は、エアーバッグの蓋の適正な開放を確保するダッシュボードの美観ライニングを遮蔽して一体化されている装置であり、ダッシュボードのライニングの外側にエアーバッグを備えている蓋を開放するための溝と同面の縁を備え且つ前記ライニング内に入り込んでいる少なくとも１つの歯を設けて、エアーバッグの対称的な開放を確保することを特徴としている装置を提供することである。
【誤訳訂正３】
【訂正対象書類名】明細書
【訂正対象項目名】００２０
【訂正方法】変更
【訂正の内容】
【００２０】
図２及び図３の断面図を参照すると、ダッシュボード１のライニング４を“掴み込んでいる”歯３が設けられている縁２を見ることができる。前記縁２は蓋５を開放する溝８と同面に取り付けられている。
【誤訳訂正４】
【訂正対象書類名】明細書
【訂正対象項目名】００２２
【訂正方法】変更
【訂正の内容】
【００２２】
前記の縁（図３）は、ねじ９によってダッシュボード上に固定されている。既に説明したように、縁２は、蓋５を開放する溝８と同面に配置され且つ接触線に沿って歯３を備えている。歯３は、ライニング材料４に局部的な脆弱化部分を形成しており、これはライニング（天然又は人口の表皮）の迅速な切断を可能にするために必要である。
【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
デジタル放射線撮影（ＤＲ）位相コントラスト撮像（ＰＣＩ）システムであって、
放射線撮像用のＸ線源と、
線源格子Ｇ０を備えるビーム成形アセンブリと、
位相格子Ｇ１および、
分析器格子Ｇ２を備える、Ｘ線格子干渉計と、を備え、
前記ビーム成形アセンブリ、前記Ｘ線格子干渉計、および前記検出器の位置の単一配置が、異なる相対ビームエネルギーで取得された少なくとも２つの画像を提供するように構成される、システム。
【請求項２】
前記少なくとも２つの画像が、エネルギー分解検出器および単一のＸ線露光を用いて取得され、対象物に対する前記システムの単一パスによって生成された画像データセットが、吸収コントラスト画像、微分位相コントラスト画像、位相シフトコントラスト画像、および暗視野画像のうちの少なくとも１つを含む、前記対象物の複数の画像を構築するために使用される、請求項１に記載のシステム。
【請求項３】
方法であって、
放射線撮像用のＸ線生成器を提供することと、
ビーム制限装置および線源格子Ｇ０を備えるビーム成形アセンブリを提供することと、
位相格子Ｇ１および分析器格子Ｇ２を備えるＸ線格子干渉計を提供することと、
前記位相格子Ｇ１から所定の距離で前記位相格子Ｇ１によって生成された干渉パターンのピッチに対して、前記分析器格子Ｇ２のピッチを相殺することと、
前記Ｘ線格子干渉計およびエネルギー分解検出器を１回走査することにより、異なる相対ビームエネルギーで取得された少なくとも２つの画像を生成することと、を含み、前記ビーム成形アセンブリ、前記Ｘ線格子干渉計、および前記検出器の位置の配置が前記走査中に変化しない、方法。
【請求項４】
デジタル放射線撮影（ＤＲ）位相コントラスト撮像（ＰＣＩ）システムであって、
放射線撮像用のＸ線源と、
線源格子Ｇ０を備えるビーム成形アセンブリと、
Ｘ線格子干渉計であって、
位相格子Ｇ１、および
分析器格子Ｇ２を備える、Ｘ線格子干渉計と、
領域Ｘ線検出器と、を備え、前記ビーム成形アセンブリおよびＸ線格子干渉計が、前記Ｘ線源の異なる平均エネルギーのために調整可能である、システム。
【請求項５】
単一のＧ０格子および単一のＧ２格子が、複数の選択可能なＧ１格子と共に使用され、前記複数のＧ１格子が、同じ材料の単一の均一な厚さの構成要素内に実装され、前記複数のＧ１格子が、前記Ｘ線源の前記異なる平均エネルギーに対応する異なるそれぞれの高さを有する選択可能な部分を含み、前記線源格子Ｇ０と選択された位相格子Ｇ１との間のＬ距離、または前記選択された位相Ｇ１格子と前記分析器Ｇ２格子との間のｄ距離が、前記Ｇ１格子の各々について変化する、請求項４に記載のシステム。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
第一の表面を有するヘッド；および
該ヘッドの第一の表面から延びる非平行の歯清掃エレメントグループ；
を含み、
ここで、該歯清掃エレメントは、一緒になって、錐体形のキャビティをその間に規定し；
該歯清掃エレメントは、一緒になって、該キャビティの周りの壁を規定し、該壁は、該ヘッドの第一の表面に隣接する近位端、および該ヘッドの第一の表面から遠位の遠位端を有しており、該壁の遠位端は複数の該歯清掃エレメントの遠位端によって規定され；および
該キャビティに面する該壁の内部側からその対向する該壁の外部側までの測定された該壁の厚みは、該壁の近位端よりも該壁の遠位端でより小さく；
該ヘッドはその中に穴を有しており、該非平行歯清掃エレメントグループが該穴内から延びており；該ヘッドが部材を含み、該穴が該部材を通って延びる通路を含み、該歯清掃エレメントの各第一の部分が該部材の第一の側に配置され、および、該歯清掃エレメントの各第二の部分が該部材の第二の側に配置されるように、該歯清掃エレメントが該通路を通って延びており；該グループの歯清掃エレメントが、一緒になって、該部材の第二の側で融着されている、口腔ケア器具。
【請求項２】
前記グループの複数の歯清掃エレメントが相互に接触しており、それにより、前記キャビティの頂部が形成されている、請求項１に記載の口腔ケア器具。
【請求項３】
その中に穴を有しているヘッドであって、該穴が軸および該軸に対して直交する断面積を有しており、該穴の該断面積が該軸に沿って変化している、ヘッド；および
該穴内から延びる非平行歯清掃エレメントグループ；
を含み、
ここで、該歯清掃エレメントは、一緒になって、錐体形のキャビティがその間に規定されている、口腔ケア器具。
【請求項４】
前記グループの複数の歯清掃エレメントが相互に接触しており、それにより、前記キャビティの頂部が形成されている、請求項３に記載の口腔ケア器具。
【請求項５】
その中に穴を有するヘッド；および
該穴内から延びる非平行歯清掃エレメントグループ；
を含み
ここで、該歯清掃エレメントは、一緒になって、該穴内に頂部を有する錐体形のキャビティがその間に規定されている、口腔ケア器具。
【請求項６】
前記歯清掃エレメントが、一緒になって、前記キャビティの周りの壁を規定しており、該壁は、前記非平行歯清掃エレメントグループが伸びる前記ヘッドの第一の表面に隣接する近位端、および該ヘッドの第一の表面から遠位の遠位端を有しており、該遠位端は該歯清掃エレメントの複数の遠位端によって規定されている、請求項３または請求項５に記載の口腔ケア器具。
【請求項７】
前記キャビティに面する前記壁の内部側からその対向する該壁の外部側までの測定された該壁の厚みが、該壁の近位端よりも該壁の遠位端でより小さい、請求項６に記載の口腔ケア器具。
【請求項８】
前記壁がギャップを含まない連続壁である、請求項１および６〜７のいずれか一項に記載の口腔ケア器具。
【請求項９】
前記穴が軸および該軸に対して直交する断面積を有しており、該穴の断面積が該軸に沿って変化している、請求項５に記載の口腔ケア器具。
【請求項１０】
前記ヘッドがその中に穴を有し、該穴が軸および該軸に対して直交する断面積を有しており、該穴の断面積が、該穴がテーパーが付されるように該軸に沿って変化しており、および、前記非平行歯清掃エレメントグループが該穴内から延びている、請求項１および６〜８のいずれか一項に記載の口腔ケア器具。
【請求項１１】
前記ヘッドが部材を含み、前記穴が該部材を通って延びる通路を含み、および、該歯清掃エレメントの各第一の部分が該部材の第一の側に配置され、および該歯清掃エレメントの各第二の部分が該部材の第二の側に融着されるように、前記歯清掃エレメントが該通路を通って延びている、請求項３〜１０のいずれか一項に記載の口腔ケア器具。
【請求項１２】
前記キャビティが前記部材の第二の側に又は通路中に頂部を有している、請求項１１に記載の口腔ケア器具。
【請求項１３】
前記キャビティが完全な円錐体の形状を有する、請求項１〜１２のいずれか一項に記載の口腔ケア器具。
【請求項１４】
前記キャビティが、前記歯清掃エレメントの複数の遠位端によって規定された開口部を有しており、該開口部から該キャビティ内への距離が増すにつれて、該キャビティは断面積が減少する、請求項１〜１３のいずれか一項に記載の口腔ケア器具。
【請求項１５】
尖った遠位端を有しており、および前記ヘッドの第一の表面から延びる複数の尖った清掃エレメントおよび複数の非平行歯清掃エレメントグループをさらに含み、
前記尖った清掃エレメントが、尖ったブラシ毛タフトを一緒になって規定するブラシ毛のグループを含み、該ブラシ毛の各々は遠位端を有しており、および、該ブラシ毛の遠位端が、一緒になって、該ブラシ毛タフトの尖った遠位端を規定し、
前記ヘッドが、第一の端部、第二の端部、および該第一の端部と第二の端部との間に延びる長手方向軸を有しており、前記尖った清掃エレメントの複数が該長手方向軸に沿って間隔が設けられた該ヘッドに配置され、
前記ヘッドが第一の端部および第二の端部を有しており、前記尖った清掃エレメントが、該ヘッドの該第一の端部および該第二の端部の間で前記非平行歯清掃エレメントのグループと互い違いとなっている、請求項１〜１４のいずれか一項に記載の口腔ケア器具。
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
−カメラ（１）の視野内（１ａ）に信号（１１）を認識した時は、信号（１１）への方向におけるカメラ（１）の視野内（１ａ）に信号（１１）を留める走行路（Ｗ）の長さ（Ｌ）が、制御ユニット（３）によって割出され、続いて、  
−走行路（Ｗ）の長さ（Ｌ）に関連する制御シグナル（Ｓｔ）が、出力される
ことを特徴とするカメラ（１）を用いて信号（１１）の信号フェーズを認識する車両（１０）の信号フェーズ・アシスタントをサポートするための方法。
【請求項２】
車両（１０）が走行路（Ｗ）のエンド（Ｅ）で停止した時に、該信号（１１）がカメラ（１）の視野内（１ａ）に依然として残るように、該走行路（Ｗ）が割出されることを特徴とする請求項１に記載の方法。
【請求項３】
制御シグナル（Ｓｔ）が、走行路（Ｗ）のエンド（Ｅ）を示す視覚的、及び／或いは、聴覚的な通達を実施するための車両（１０）のシグナル手段（４）に出力されることを特徴とする請求項１に記載の方法。
【請求項４】
該視覚的、及び／或いは、聴覚的な通達が、走行路（Ｗ）の長さ（Ｌ）を示す、長さ用の単位を用いた距離として実施されることを特徴とする請求項３に記載の方法。
【請求項５】
制御シグナル（Ｓｔ）が、車両（１０）のブレーキ・システムに介入するアシスタント・システム（５）に出力され、  
該アシスタント・システム（５）が、走行路（Ｗ）のエンド（Ｅ）を、スポット・ブレーキングの目標として担当し、ドライバーを該スポット・ブレーキングに関してサポートするように構成されている
ことを特徴とする請求項１から４のうち何れか一項に記載の方法。
【請求項６】
制御シグナル（Ｓｔ）が、車両を、走行路（Ｗ）のエンド（Ｅ）において車両が停止するように自動的に制御する、自動車両制御手段に出力されることを特徴とする請求項１に記載の方法。
【請求項７】
ドライバーには、該自動車両制御手段に関して、視覚的、及び／或いは、聴覚的シグナルによって、知らされることを特徴とする請求項６に記載の方法。
【請求項８】
信号（１１）の停止線（１３）が、カメラ（１）によって捕捉され、走行路（Ｗ）の長さ（Ｌ）は、そのエンド（Ｅ）が、予め定められている停止線（１３）までの間隔限度値を超えないように設定されることを特徴とする請求項１から７のうち何れか一項に記載の方法。
【請求項９】
走行路（Ｗ）の長さ（Ｌ）を割出すために、３Ｄカメラ（１）を用いて、幾何学的ポジションと車両（１０）からの信号（１１）までの距離が、割出されることを特徴とする請求項１から８のうち何れか一項に記載の方法。
【請求項１０】
走行路（Ｗ）の長さを割出すために、モノカメラ（１）の画像データの評価による３Ｄシーン構築によって、信号（１１）までの距離が推定されることを特徴とする請求項１から８のうち何れか一項に記載の方法。
【請求項１１】
走行路（Ｗ）の長さ（Ｌ）を割出すために、画像データ内における信号（１１）の角度変化に関するモノカメラ（１）の画像データの評価から、信号（１１）までの距離が推定されることを特徴とする請求項１から８のうち何れか一項に記載の方法。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
光データ記録装置であって、
１つ以上の光記録層を有する光記録テープと、
前記光記録テープにデータを読み書きするための複数の光ピックアップ部と、
前記光ピックアップ部に前記光記録テープを提供するための送りリールと、
回転軸上に回転可能に配置され、読出動作中および／または書込動作中に前記光記録テープが前記光ピックアップ部の近くにあるときに前記光記録テープを導くためのガイドホイールとを備え、前記ガイドホイールは読出動作／書込動作／トラッキング動作の間、平面視で円形の経路上に前記光記録テープを保持し、
前記複数の光ピックアップ部は、前記ガイドホイールの外周面に沿って配置されており、前記複数の光ピックアップ部の各々と前記ガイドホイール上に保持されている前記光記録テープとの距離が、読出動作／書込動作／トラッキング動作の間、実質的に均一になるように、前記ガイドホイールの回転軸と前記複数の光ピックアップ部の各々との距離が実質的に等しくされ、
前記ガイドホイールから前記光記録テープを受けるための巻取りリールを備える、光データ記録装置。
【請求項２】
前記ガイドホイールと接触する前に前記光記録テープを位置決めするための第１のガイドポストと、前記ガイドホイールとの係合を解除した後に前記光記録テープを位置決めするための第２のガイドポストとをさらに備える、請求項１に記載の光データ記録装置。
【請求項３】
前記光記録テープは、複数のデータトラックを有する、請求項１または２に記載の光データ記録装置。
【請求項４】
前記光記録テープは、２００〜６００個のデータトラックを含む、請求項３に記載の光データ記録装置。
【請求項５】
前記データトラックは、前記光記録テープの幅にわたって論理トラックフォーマットで構成される、請求項３または４に記載の光データ記録装置。
【請求項６】
前記ガイドホイールは非磁性的である、請求項１〜５のいずれか１項に記載の光データ記録装置。
【請求項７】
前記ガイドホイールは、アルミニウム、マグネシウム、チタン、プラスチック、および金属でコーティングされたプラスチックを含む、請求項１〜６のいずれか１項に記載の光データ記録装置。
【請求項８】
前記ガイドホイールは、前記光記録テープと前記ガイドホイールとの接触を維持することを助ける１つ以上の溝を含む、請求項１〜７のいずれか１項に記載の光データ記録装置。
【請求項９】
前記ガイドホイールは、前記光記録テープと前記ガイドホイールとの接触を維持することを助ける多孔性金属を含む、請求項１〜８のいずれか１項に記載の光データ記録装置。
【請求項１０】
前記光記録テープは、前記光記録層が配置されるベース層を含む、請求項１〜９のいずれか１項に記載の光データ記録装置。
【請求項１１】
前記１つ以上の光記録層は、前記ベース層の上に配置される、請求項１０に記載の光データ記録装置。
【請求項１２】
前記ベース層は、ポリエチレンテレフタレート（ＰＥＴ）、ポリエチレンナフタレート（ＰＥＮ）、アラミド、およびそれらの組合せからなる群から選択される成分を含む、請求項１１に記載の光データ記録装置。
【請求項１３】
前記ガイドホイールは、前記光記録テープを所定の位置に保持するための端縁ガイドを含む、請求項１〜１２のいずれか１項に記載の光データ記録装置。
【請求項１４】
光データ記録装置であって、
光記録テープを有する送りリールを保持するための送りリールアダプタと、
前記光記録テープにデータを読み書きするための複数の光ピックアップ部と、
回転軸上に回転可能に配置され、読出動作中および／または書込動作中に前記光記録テープが前記光ピックアップ部の近くにあるときに前記光記録テープを導くためのガイドホイールとを備え、前記ガイドホイールは読出動作／書込動作／トラッキング動作の間、平面視で円形の経路上に前記光記録テープを保持し、前記複数の光ピックアップ部は、前記ガイドホイールの外周面に沿って配置されており、前記複数の光ピックアップ部の各々と前記ガイドホイール上に保持されている前記光記録テープとの距離が、読出動作／書込動作／トラッキング動作の間、実質的に均一になるように、前記ガイドホイールの回転軸と前記複数の光ピックアップ部の各々との距離が実質的に等しくされ、
前記ガイドホイールから前記光記録テープを受ける巻取りリールを保持するための巻取りリールアダプタを備える、光データ記録装置。
【請求項１５】
光記録テープにデータを格納する方法であって、
回転軸上に回転可能に配置されたガイドホイールを提供するステップと、
前記光記録テープがガイドホイールに接触したときに前記光記録テープが円弧状の経路に沿って移動するように前記光記録テープを前記ガイドホイールに提供するステップと、
前記ガイドホイールの周りに位置決めされた複数の光ピックアップ部によって前記光記録テープにデータを読出すまたは書込むステップとを備え、前記ガイドホイールは読出動作／書込動作／トラッキング動作の間、平面視で円形の経路上に前記光記録テープを保持し、前記複数の光ピックアップ部は、前記ガイドホイールの外周面に沿って配置されており、前記複数の光ピックアップ部の各々と前記ガイドホイール上に保持されている前記光記録テープとの距離が、読出動作／書込動作／トラッキング動作の間、実質的に均一になるように、前記ガイドホイールの回転軸と前記複数の光ピックアップ部の各々との距離が実質的に等しくされ、
巻取りリール上に前記光記録テープを受けるステップを備える、方法。